(57)【要約】【課題】  イベント情報取得に際して、利用者の利便性を向上する。【解決手段】  抽選番号等が文字及び２次元コードで併記されているお年玉年賀はがきおける２次元コードが、携帯電話１０jの撮像部により撮像され、携帯電話１０jの読取解読部において解析・解読されて抽選番号等が得られる。また、携帯電話１０jのダウンロード部が、サーバ装置５０から当選番号等をダウンロードする。そして、携帯電話１０jのイベント抽出部が、得られた抽選番号とダウンロードされた当選番号とを照合し、当選又は落選を判定する。こうして得られた照合結果が、携帯電話１０jの表示部に表示される。【選択図】  図６
2005115444.tif 000002
【特許請求の範囲】
【請求項１】
文字及び２次元コードで証票に併記されているイベント検索識別子をキーとして、前記イベント検索識別子に関連するイベント情報を取得するイベント情報取得方法であって、
前記証票の２次元コードを、２次元コード読取機能を有する通信端末装置により読み取る読取工程と；
前記２次元コードに記載されている前記イベント検索識別子をキーとして、前記イベント検索識別子の付与後に発生し、前記通信端末装置が通信可能なネットワーク上のサーバ装置に登録されたイベント抽出用情報に基づいて、前記イベント検索識別子に関連するイベント情報を取得するイベント情報取得工程と；
前記取得されたイベント情報を前記通信端末装置の表示部に表示する表示工程と；を備えるイベント情報取得方法。
【請求項２】
前記イベント検索識別子は抽選識別子であり、
前記イベント情報取得工程では、前記抽選識別子が、前記通信端末装置が通信可能なネットワーク上のサーバ装置に登録された当選識別子と一致するか否かを判定する、ことを特徴とする請求項１に記載のイベント情報取得方法。
【請求項３】
前記イベント情報取得工程は、
前記通信端末装置が、前記サーバ装置から前記イベント抽出用情報をダウンロードするイベント情報ダウンロード工程と；
前記通信端末装置が、前記ダウンロードされたイベント抽出用情報と前記イベント検索識別子とに基づいて、前記イベント検索識別子に関連するイベント情報を抽出する抽出工程と；を備えることを特徴とする請求項１又は２に記載のイベント情報取得方法。
【請求項４】
前記イベント情報取得工程は、
前記通信端末装置が、前記読み取られたイベント検索識別子を前記サーバ装置へ通知するイベント検索識別子通知工程と；
前記サーバ装置が、前記通知されたイベント検索識別子と前記イベント抽出用情報とに基づいて、前記イベント検索識別子に関連するイベント情報を抽出する抽出工程と；
前記抽出工程における抽出結果を、前記サーバ装置が前記通信端末へ通知する抽出結果通知工程と；を備えることを特徴とする請求項１又は２に記載のイベント情報取得方法。
【請求項５】
前記２次元コードには、前記サーバ装置に前記イベント抽出用情報が登録されるイベント登録予定時期が記載され、
前記イベント情報取得工程は、前記通信端末装置が前記イベント登録予定時期の開始時を経過したと判断した後に実行される、ことを特徴とする請求項１〜３のいずれか一項に記載のイベント情報取得方法。
【請求項６】
前記イベント情報取得工程は、
前記通信端末装置を含む複数の通信端末装置それぞれが読み取った複数のイベント検索識別子を前記サーバ装置へ通知するイベント検索識別子通知工程と；
前記サーバ装置が、前記複数のイベント検索識別子を利用して前記イベント抽出用情報を作成するイベント抽出用情報作成工程と；を備えることを特徴とする請求項１〜４のいずれか一項に記載のイベント情報取得方法。
【請求項７】
文字及び２次元コードで証票に併記されているイベント検索識別子をキーとして、前記イベント検索識別子に関連するイベント情報を取得するイベント情報取得システムであって、
通信網と；
前記通信網に接続され、前記イベント検索識別子の付与後に発生したイベント抽出用情報が登録されるサーバ装置と；
前記サーバ装置と通信可能であり、２次元コード読取機能を有する少なくとも１つの通信端末装置と；備えるイベント情報取得システム。
【請求項８】
前記通信端末装置が、
前記サーバ装置から前記イベント抽出用情報をダウンロードするダウンロード手段と；
前記ダウンロードされたイベント抽出用情報と前記イベント検索識別子とに基づいて、前記イベント検索識別子に関連するイベント情報を抽出する抽出手段と；を備えることを特徴とする請求項７に記載のイベント情報取得システム。
【請求項９】
前記通信端末装置が、前記読み取られたイベント検索識別子を前記サーバ装置へ通知するイベント検索識別子通知手段を備え、
前記サーバ装置が、
前記通知されたイベント検索識別子と前記イベント抽出用情報とに基づいて、前記イベント検索識別子に関連するイベント情報を抽出する抽出手段と；
前記抽出手段による抽出結果を、前記通信端末へ通知する抽出結果通知手段と；を備えることを特徴する請求項７に記載のイベント情報取得システム。
【請求項１０】
前記サーバ装置は、通知された複数のイベント検索識別子を利用して前記イベント抽出用情報を作成するイベント抽出用情報作成手段を備える、ことを特徴する請求項７〜９のいずれか一項に記載のイベント情報取得システム。
【請求項１１】
前記通信端末装置は移動通信端末装置である、ことを特徴とする請求項７〜１０のいずれか一項に記載のイベント情報取得システム。
【発明の詳細な説明】
【技術分野】
【０００１】
本発明は、イベント情報取得方法及びイベント情報取得システムに係り、より詳しくは、文字及び２次元コードで証票に併記されているイベント検索識別子をキーとして、前記イベント検索識別子に関連するイベント情報を取得するイベント情報取得方法、及び、このイベント情報取得方法を使用するイベント情報取得システムに関するものである。
【背景技術】
【０００２】
従来から、お年玉年賀はがき、宝くじ等といった、抽選番号が印刷された証票が販売されている。そして、その販売後、抽選が行われて当選番号が決まり、当該当選番号が印刷されている証票と、賞金又は商品とが交換されている。
【０００３】
こうした抽選番号付証票の発売から賞金又は商品との交換までの間において、抽選番号付証票を購入した者は、新聞や抽選番号付証票の発行者のホームページ等に発表された当選番号を参照し、所有している証票ごとに記載された抽選番号と当選番号とが一致しているか否かを判断していた。また、近年では、宝くじについては、サービスセンタ等において抽選番号の自動読取装置に証票に印刷された抽選番号を読み取らせ、当選番号と一致しているか否かを判定させることも行われている。
【０００４】
以上のお年玉年賀はがきや宝くじ等のように、購入や申し込みにより予め整理番号等が付与され、その整理番号等に関連してイベントが事後的に発生する事例は、近年において多々存在する。例えば、入学試験等の試験においては、試験実施前に受験番号を付与され、試験実施後に合格した者の受験番号（場合によっては、さらに合格者氏名）が発表される。こうした場合においても、通常は、購入や申し込みを行った者の整理番号が記載された証票が、事前に購入者や申し込み者に送付されるようになっている。そして、購入者や申し込み者は、受け取った証票に記載された整理番号等をキーとして、証票の発行者のホームページ等に発表された当選番号を参照し、試験の合否等といった整理番号等ごとのイベント情報を取得している。
【発明の開示】
【発明が解決しようとする課題】
【０００５】
上述した従来のイベント情報取得方法では、当選若しくは落選や合格若しくは不合格等のイベント情報の取得に際して、購入者又は申込者等が、証票ごとに、目視により、イベント検索のキーとなる抽選番号や受験番号等の整理番号等を読み取る。そして、読み取った整理番号ごとに、当選若しくは落選や合格若しくは不合格等のイベントを確認することが必要であった。
【０００６】
こうした作業は、お年玉年賀はがきや宝くじ等のように購入者又は申込者等が所有する枚数が多数となる場合には、多くの時間を必要とするものであった。また、上述した宝くじのときのような抽選番号の自動読取装置を利用しようとする場合には、自動読取装置が設置されたサービスセンタ等まで、全ての証票を持参することが必要であった。
【０００７】
また、所有する証票が少数であっても、イベント検索のキーとなる整理番号等の目視による読み取りでは読み取り誤りが発生したり、一度読み取ってもイベント情報の参照中に忘れたりすることもあった。
【０００８】
本発明は、上記の事情の鑑みてなされたものであり、利用者の利便性を向上することができるイベント情報取得方法及びイベント情報取得システムを提供することを目的とする。
【課題を解決するための手段】
【０００９】
本発明のイベント情報取得方法は、文字及び２次元コードで証票に併記されているイベント検索識別子をキーとして、前記イベント検索識別子に関連するイベント情報を取得するイベント情報取得方法であって、前記証票の２次元コードを、２次元コード読取機能を有する通信端末装置により読み取る読取工程と；前記２次元コードに記載されている前記イベント検索識別子をキーとして、前記イベント検索識別子の付与後に発生し、前記通信端末装置が通信可能なネットワーク上のサーバ装置に登録されたイベント抽出用情報に基づいて、前記イベント検索識別子に関連するイベント情報を取得するイベント情報取得工程と；前記取得されたイベント情報を前記通信端末装置の表示部に表示する表示工程と；を備えるイベント情報取得方法である。
【００１０】
このイベント情報取得方法では、まず、読取工程において、イベント検索識別子が文字及び２次元コードで併記されている証票における２次元コードを、２次元コード読取機能を有する通信端末装置により読み取る。そして、２次元コードに記載されているイベント検索識別子を含むイベント検索用情報を通信端末装置の記憶部に格納する。ここで、証票が複数である場合には、２次元コードの読み取りを、一挙に行ってもよいし、断続的に行ってもよい。こうした２次元コード読取機能を有する通信端末装置による読み取りにおいては、読み取り動作が正常終了した場合には、読み取り誤りはほぼ完全になく、かつ、記憶部に格納した読取結果の消滅は、積極的な消去操作が行われたり、通信端末装置の故障が発生したりしない限り、発生することはない。
【００１１】
次に、イベント情報取得工程において、２次元コードに記載されているイベント検索識別子をキーとして、イベント検索識別子の付与後に発生し、通信端末装置が通信可能なネットワーク上のサーバ装置に登録されたイベント抽出用情報に基づいて、イベント検索識別子に関連するイベント情報を取得する。そして、表示工程において、取得されたイベント情報を前記通信端末装置の表示部に表示して、通信端末装置の利用者にイベント情報を知らせる。
【００１２】
したがって、本発明のイベント情報取得方法によれば、イベント情報の取得に際して、利用者の利便性を向上することができる。
【００１３】
本発明のイベント情報取得方法では、前記イベント検索識別子を抽選識別子とし、前記イベント情報取得工程において、前記抽選識別子が、前記通信端末装置が通信可能なネットワーク上のサーバ装置に登録された当選識別子と一致するか否かを判定することとすることができる。
【００１４】
また、本発明のイベント情報取得方法では、前記イベント情報取得工程が、前記通信端末装置が、前記サーバ装置から前記イベント抽出用情報をダウンロードするイベント情報ダウンロード工程と；前記通信端末装置が、前記ダウンロードされたイベント抽出用情報と前記イベント検索識別子とに基づいて、前記イベント検索識別子に関連するイベント情報を抽出する抽出工程と；を備えることとすることができる。
【００１５】
また、本発明のイベント情報取得方法では、前記イベント情報取得工程が、前記通信端末装置が、前記読み取られたイベント検索識別子を前記サーバ装置へ通知するイベント検索識別子通知工程と；前記サーバ装置が、前記通知されたイベント検索識別子と前記イベント抽出用情報とに基づいて、前記イベント検索識別子に関連するイベント情報を抽出する抽出工程と；前記抽出工程における抽出結果を、前記サーバ装置が前記通信端末へ通知する抽出結果通知工程と；を備えることとすることができる。
【００１６】
また、本発明のイベント情報取得方法では、前記２次元コードには、前記サーバ装置に前記イベント抽出用情報が登録されるイベント登録予定時期が記載され、前記イベント情報取得工程が、前記通信端末装置が前記イベント登録予定時期の開始時を経過したと判断した後に実行されることとすることができる。この場合には、通信端末装置の利用者が、積極的にサーバ装置にアクセスしなくとも、通信端末装置が、イベント抽出用情報が登録されるイベント登録予定時期が経過したか否かを判断し、肯定的な判断がされると自動的に上述したイベント情報取得工程が実行される。したがって、イベント情報の取得に際して、利用者の利便性を向上することができる。
【００１７】
また、本発明のイベント情報取得方法では、前記イベント情報取得工程が、前記通信端末装置を含む複数の通信端末装置それぞれが読み取った複数のイベント検索識別子を前記サーバ装置へ通知するイベント検索識別子通知工程と；前記サーバ装置が、前記複数のイベント検索識別子を利用して前記イベント抽出用情報を作成するイベント抽出用情報作成工程と；を備えることとすることができる。この場合には、イベント検索識別子通知工程においてサーバ装置に通知された複数のイベント検索識別子を利用して、サーバ装置がイベント抽出用情報を作成する。例えば、予め付与された抽選番号のうちで実際に申し込みがあった抽選番号の中から当選番号の抽選を行うこととすることができる。したがって、宝くじ等のように予め付与された抽選番号の全ての中から当選番号を抽出する方法と異なり、本当に興味を有している申込者のみを対象として、当選確率の高い方法で抽選をする方法を実現することができる。
【００１８】
本発明のイベント情報取得システムは、文字及び２次元コードで証票に併記されているイベント検索識別子をキーとして、前記イベント検索識別子に関連するイベント情報を取得するイベント情報取得システムであって、通信網と；前記通信網に接続され、前記イベント検索識別子の付与後に発生したイベント抽出用情報が登録されるサーバ装置と；前記サーバ装置と通信可能であり、２次元コード読取機能を有する少なくとも１つの通信端末装置と；備えるイベント情報取得システムである。
【００１９】
このイベント情報取得システムでは、通信端末装置が、イベント検索識別子が文字及び２次元コードで併記されている証票における２次元コードを、２次元コード読取機能を有する通信端末装置により読み取る。そして、２次元コードに記載されているイベント検索識別子を含むイベント検索用情報を通信端末装置の記憶部に格納する。この後、通信端末装置とサーバ装置との間で通信が行われ、２次元コードに記載されているイベント検索識別子をキーとして、イベント検索識別子の付与後に発生し、通信端末装置が通信可能なネットワーク上のサーバ装置に登録されたイベント抽出用情報に基づいて、イベント検索識別子に関連するイベント情報を取得する。
【００２０】
したがって、本発明のイベント情報取得方法によれば、イベント情報の取得に際して、利用者の利便性を向上することができる。
【００２１】
本発明のイベント情報取得システムでは、前記通信端末装置が、前記サーバ装置から前記イベント抽出用情報をダウンロードするダウンロード手段と；前記ダウンロードされたイベント抽出用情報と前記イベント検索識別子とに基づいて、前記イベント検索識別子に関連するイベント情報を抽出する抽出手段と；を備える構成とすることができる。この場合には、ダウンロード手段がサーバ装置からダウンロードしたイベント抽出用情報と、通信端末装置が保有しているイベント検索識別子とに基づいて、抽出手段が当該イベント検索識別子に関連するイベント情報を抽出する。このため、サーバ装置にイベント抽出機能を搭載しなくとも済むので、サーバ装置の構成を簡素化することができる。
【００２２】
また、本発明のイベント情報取得システムでは、前記通信端末装置が、前記読み取られたイベント検索識別子を前記サーバ装置通知するイベント検索識別子通知手段を備え、前記サーバ装置が、前記通知されたイベント検索識別子と前記イベント抽出用情報とに基づいて、前記イベント検索識別子に関連するイベント情報を抽出する抽出手段と；前記抽出手段による抽出結果を、前記通信端末へ通知する抽出結果通知手段と；を備える構成とすることができる。この場合には、通信端末装置のイベント検索識別子通知手段が、読み取られたイベント検索識別子をサーバ装置へ通知する。そして、この通知を受けたサーバ装置では、抽出手段が、通知されたイベント検索識別子と、サーバ装置が保有しているイベント抽出用情報とに基づいて、通知されたイベント検索識別子に関連するイベント情報を抽出する。そして、サーバ装置の抽出結果通知手段が、抽出結果を前記通信端末へ通知する。このため、通信端末装置にイベント抽出機能を搭載しなくとも済むので、通信端末装置の構成を簡素化することができる。また、通信端末装置において読み取られたイベント検索識別子を保存しておくことが必須ではないので、読み取られたイベント検索識別子を保存するための手段を省略した構成とすることにより、通信端末装置の構成を簡素化することもできる。
【００２３】
また、本発明のイベント情報取得システムでは、前記サーバ装置が、通知された複数のイベント検索識別子を利用して前記イベント抽出用情報を作成するイベント抽出用情報作成手段を備える構成とすることができる。この場合には、サーバ装置のイベント抽出用情報作成手段が、通知された複数のイベント検索識別子を利用してイベント抽出用情報を作成する。このため、宝くじ等のように予め付与された抽選番号の全ての中から当選番号を抽出する方法と異なり、本当に興味を有している申込者のみを対象として、当選確率の高い方法で抽選をする方法を実現することができる。
【００２４】
また、本発明のイベント情報取得システムでは、前記通信端末装置を移動通信端末装置とする構成とすることができる。
【発明の効果】
【００２５】
以上説明したように、本発明のイベント情報取得方法によれば、通信端末装置の利用者によるイベント情報取得の利便性を向上することができるという効果を奏する。
【００２６】
また、本発明のイベント情報取得システムによれば、通信端末装置の利用者によるイベント情報取得の利便性を向上することができるという効果を奏する。
【発明を実施するための最良の形態】
【００２７】
以下、本発明の一実施形態を、図１〜図６を参照して説明する。
【００２８】
図１には、本発明の一実施形態に係るイベント情報取得システム１００の構成が模式的に示されている。図１に示されるように、このイベント情報取得システム１００は、（ａ）携帯電話１０1，…１０Nと、（ｂ）携帯電話１０1，…１０Nと無線通信を行う基地局４２1，…４２Nを介して、携帯電話１０1，…１０Nが接続されるネットワーク４１と、（ｃ）ネットワーク４１に接続されたサーバ装置５０とを備えている。この図１においては、携帯電話１０j（ｊ＝１〜Ｎ）と基地局４２jとが無線リンクを確立するように記載されているが、携帯電話１０jの位置に応じて、携帯電話１０jと無線リンクが確立する基地局は変化する。また、携帯電話１０jごとに１つの基地局と無線リンクを確立するとは限らず、複数の携帯電話と１つの基地局との間で無線リンクが確立することもある。なお、以下の説明においては、携帯電話１０jと基地局４２jとが対応するものとする。
【００２９】
このイベント情報取得システム１００は、お年玉年賀はがきＰＳＣＤの当選や落選というお年玉年賀はがきＰＳＣＤごとに対応するイベント情報を、携帯電話１０1，…１０Nの利用者が取得するためのものである。なお、このイベント情報取得システム１００でイベント情報が取得されるお年玉年賀はがきＰＳＣＤは、図２に示されるように、イベント検索用識別子である抽選番号の数字表記ＤＲＮＢと、当該抽選番号、当選番号発表の日時、サーバ装置５０のネットワークアドレス等の情報が記載されたＱＲコードＱＲＣＤとが印刷されたものである。このＱＲコードＱＲＣＤは、表現するデータに応じて、２次元的に暗部矩形（図２では黒色矩形）と明部矩形（図２では白色矩形）とが配列されている。また、ＱＲコードＱＲＣＤは、全体として矩形状の形状をしており、その矩形の３隅に位置決め用シンボルが配置されている。なお、偽造を防止するため、ＱＲコードＱＲＣＤには抽選番号等の情報が暗号化されて記載されている。
【００３０】
図３及び図４には、携帯電話１０j（ｊ＝１〜Ｎ）の概略的な構成が示されている。ここで、図３は、携帯電話１０jの外観図であり、図４は、携帯電話１０jのハードウエア的な機能ブロック構成図である。
【００３１】
図３及び図４より総合的に示されるように、携帯電話１０jは、（ｉ）携帯電話１０j全体を統括制御する制御部２１等を備える携帯電話本体１１と、（ii）電話番号を入力するためのテンキー、及び、動作モードの切替等の各種指令を制御部２１に入力するためのファンクションキーを有する操作部１２と、（iii）制御部２１による指令に応じて、操作案内、動作状況、受信メッセージ等を表示する液晶表示装置を有する表示部１３とを備えている。また、携帯電話１０jは、（iv）通話時に通信相手から送られてきた音声信号を再生する通話用スピーカ１４と、（ｖ）集音時に音を入力したり、通話時に音声を入力したりするためのマイクロフォン１５と、（vi）制御部２１による指令に応じて、着信音や案内音を発生するための案内用スピーカ１６とを備えている。また、携帯電話１０jは、（vii）基地局との間で無線信号を授受するためのアンテナ１７と、（viii）ＱＲコードＱＲＣＤを読み取るための撮像部１８とを備えている。
【００３２】
ここで、携帯電話本体１１は、図４示されるように、その内部に、上述した制御部２１に加えて、基地局４２jとの間で通信を行うための無線送受信部２２と、リードオンリメモリ（ＲＯＭ）やランダムアクセスメモリ（ＲＡＭ）等に構成された記憶部２３とを備えている。
【００３３】
制御部２１は、（ｉ）撮像部１８によって撮像された２次元マークの解読を行う読取解読部３１と、（ii）無線送受信部２２を介してサーバ装置５０から、各ＱＲコードに記載された抽選番号に関するイベント抽出用情報である当選番号をダウンロードするダウンロード部３２と、（iii）ＱＲコードＱＲＣＤに記載された抽選番号と、ダウンロードされた当選番号とを照合して、ＱＲコードＱＲＣＤに記載された抽選番号ごとに当選又は落選というイベントを抽出するイベント抽出部３３とを備えている。また、制御部２１は、タイマ部３５を備えており、タイマ部３５が計測した現在の年月日及び時刻情報がダウンロード部３２に通知されるようになっている。そして、ダウンロード部３２は、タイマ部３５からの現在の年月日及び時刻情報から、当選発表が既になされていると判断した場合には、無線送受信装置２２、基地局４２j及びネットワ−ク４１を介して、サーバ装置５０へ向けて当選番号のダウンロード要求を送信するようになっている。
【００３４】
なお、本実施形態では、制御部２１は、中央処理装置（ＣＰＵ）やデジタル信号処理装置（ＤＳＰ）等を有し、プログラムを実行する処理装置となっている。そして、上述した読取解読部３１、ダウンロード部３２及びイベント抽出部３３の機能は、制御部２１において実行されるプログラムの実行によって実現されるようになっている。
【００３５】
サーバ装置５０は、図５に示されるように、（ｉ）サーバ装置５０の全体の動作を統括制御する制御処理装値５１と、（ii）各種プログラムや各種データを格納する記憶装置５３と、（iii）ネットワーク４１を介した通信を行うための送受信装置５４とを備えている。このサーバ装置５０では、お年玉年賀はがきの抽選が行われて当選番号が決定すると、記憶装置５３に当選番号、当選種類、賞品のデータが格納される。そして、当選発表日となった後に、基地局４２j、ネットワ−ク４１及び送受信装置５４を介して、携帯電話１０jからの当選番号のダウンロード要求を受けると、制御処理装値５１が、記憶装置５３から当選番号のデータを読み出し、送受信装置５４、ネットワーク４１及び基地局４２jを介して、携帯電話１０jへ向けて当選番号等のデータを送信するようになっている。
【００３６】
次に、上記のように構成されたイベント情報取得システム１００における、携帯電話１０j（ｊ＝１〜Ｎ）の利用者によるお年玉年賀はがきの当選又は落選というイベント情報の取得動作を、図６を主に参照して説明する。なお、図６は、縦軸を時間軸として、動作シーケンスを時系列で表したシーケンス図である。
【００３７】
まず、携帯電話１０jの利用者が、お年玉年賀はがきＰＳＣＤを差出人から受け取るたびに、携帯携帯電話１０jにより、お年玉年賀はがきＰＳＣＤにおけるＱＲコードＱＲＣＤの読み取りを行う。この読み取りに際しては、携帯携帯電話１０jの撮像部１８によるＱＲコードＱＲＣＤの撮像が行われる。この撮像の結果は、読取解読部３１へ通知される。撮像結果を受けた読取解読部３１は、撮像結果を解析・解読して、正当なＱＲコードＱＲＣＤに記載されていた抽選番号等の情報を得る。
【００３８】
こうして読み取られたＱＲコードＱＲＣＤに記載されていた情報のうちの抽選番号は、記憶部２３に格納される。また、ＱＲコードＱＲＣＤに記載されていた情報のうち、当選番号発表の日時及びサーバ装置５０のネットワークアドレスは、ダウンロード部３２へ通知される。なお、当選番号発表の日時及びサーバ装置５０のネットワークアドレスのダウンロード部３２への通知は、１回のみ行われるようになっている。
【００３９】
こうして、当選番号発表前にお年玉年賀はがきＰＳＣＤにおけるＱＲコードＱＲＣＤから読み取られた抽選番号が記憶部２３に蓄積される。なお、読み取られた抽選番号が新たに記憶部２３に格納される場合には、読取解読部３１からイベント抽出部３３に対して、抽選番号が新たに読み取られた旨が通知されるようになっている。
【００４０】
当選番号発表の日時及びサーバ装置５０のネットワークアドレスが通知されたダウンロード部３２では、タイマ部３５からの現在の年月日及び時刻情報に基づいて、現時点において当選発表日時を経過しているか否か、すなわち当選番号が既にサーバ装置５０において発表されているか否かが判定される。そして、この判定の結果として肯定的な判定がされると、ダウンロード部３２は、基地局４２j及びネットワークを介して、サーバ装置５０に対して当選番号等のダウンロード要求を行う。一方、当該判定の結果が否定的であった場合には、記憶部２３の内容を保持し、当選発表日時の経過を待つ。
【００４１】
このダウンロード要求を受けたサーバ装置５０では、制御処理装値５１が、記憶装置５３から当選番号、当選種類、賞品のデータを読み出し、送受信装置５４、ネットワーク４１及び基地局４２jを介して、携帯電話１０jへ向けて当選番号等のデータを送信する。携帯電話１０jでは、ダウンロード部３２が、無線送受信部２２を介して、当選番号等のデータを受信し、記憶部２３に格納する。そして、ダウンロード部３２は、当選番号等のデータをダウンロードした旨をイベント抽出部３３に通知する。なお、上記の当選番号等のデータの自動的なダウンロードは、１回のみ行われるようになっている。
【００４２】
こうして、抽選番号が新たに読み取られた旨及び当選番号のデータをダウンロードした旨の双方がイベント抽出部３３に通知されると、イベント抽出部３３は、記憶部２３から蓄積された抽選番号及びダウンロードされた当選番号を読み出す。そして、イベント抽出部３３は、蓄積された抽選番号と当選番号との照合が行う。そして、この照合結果が、表示部１３に表示されて、利用者に提供される。
【００４３】
また、上記の初回の抽選番号と当選番号との照合が行われた後に、新たにお年玉年賀はがきＰＳＣＤにおけるＱＲコードＱＲＣＤから読み取られて抽選番号が記憶部２３に格納され、読取解読部３１からイベント抽出部３３に対して、抽選番号が新たに読み取られた旨が通知されると、イベント抽出部３３は、未照合の抽選番号と当選番号とを記憶部２３から読み出し、直ちに照合が行われる。そして、この照合結果が、表示部１３に表示されて、利用者に提供される。
【００４４】
以上説明したように、本実施形態では、抽選番号等が文字及び２次元コードで併記されているお年玉年賀はがきおける２次元コードが、撮像部１８により撮像され、読取解読部３１において解析・解読されて抽選番号等が得られる。また、ダウンロード部３２が、サーバ装置５０から当選番号等をダウンロードする。そして、イベント抽出部３３が、得られた抽選番号とダウンロードされた当選番号とを照合し、当選又は落選を判定する。したがって、利用者にとって簡易な操作で確実に、お年玉年賀はがきに付与された抽選番号と当選番号との照合結果をえることができ、利用者の利便性を向上することができる。
【００４５】
また、携帯電話１０j（ｊ＝１〜Ｎ）に抽選番号と当選番号との照合機能を搭載し、サーバ装置５０には抽選番号と当選番号との照合機能を搭載しない構成としたので、サーバ装置５０の構成を簡素化することができる。
【００４６】
また、携帯電話１０jが、当選番号発表日時が経過したことを判断し、当選番号のダウンロード、及び、抽選番号と当選番号との照合を自動的に実行するので、利用者の利便性を更に向上することができる。
【００４７】
なお、上記の実施形態では、携帯電話１０jに抽選番号と当選番号との照合機能を搭載したが、サーバ装置５０に抽選番号と当選番号との照合機能を搭載する構成とすることもできる。かかる変形例を、図７〜図９を主に参照して説明する。なお、図７〜図９においては、上記の実施形態の場合と同一又は同等の要素には同一の符号を付し、重複する説明を省略する。
【００４８】
この変形例では、図７に示されるように、携帯電話本体１１’が、上記の実施形態における制御部２１と比べて、制御部２１’と、無線送受信部２２とを備える点が異なっている。この制御部２１’は、（ｉ）読取解読部３１と、（ii）読取解読部３１から通知された抽選番号を、無線送受信装置２２、基地局４２j及びネットワ−ク４１を介して、サーバ装置５０へ向けて通知する抽選番号通知部３６と、（iii）サーバ装置５０からの抽選番号の受付内容データ及び抽選結果データを処理する受信データ処理部３７とを備えている。サーバ装置５０に通知される抽選番号は、携帯電話１０jとサーバ装置５０との間で予め定めておいた方式により暗号化されるようになっている。また、当選番号発表前にお年玉年賀はがきＰＳＣＤにおけるＱＲコードＱＲＣＤから読み取られた抽選番号が新たに記憶部２３に格納される場合には、読取解読部３１から抽選番号通知部３６に対して、抽選番号が新たに読み取られた旨が通知されるようになっている。
【００４９】
また、この変形例では、図８に示されるように、サーバ装置５０の制御処理装置５１’が、上記の実施形態における制御処理装置５１と比べて、（ｉ）携帯電話１０jから通知された抽選番号の受付処理を行う受付処理部５８と、（ii）携帯電話１０jから通知された抽選番号と、記憶装置５３に格納された当選番号との照合を行う番号照合部５７と、（iii）番号照合部５７に年月日及び時刻を通知するタイマ部５９と、（iv）番号照合部５７による照合結果を、送受信装置５４、ネットワーク４１及び基地局４２jを介して、携帯電話１０jへ通知する照合結果通知部５６とを備えている点のみが異なっている。
【００５０】
次に、上記のように構成された変形例のイベント情報取得システムにおける、携帯電話１０j（ｊ＝１〜Ｎ）の利用者によるお年玉年賀はがきの当選又は落選というイベント情報の取得動作を、図９を主に参照して説明する。なお、図９は、縦軸を時間軸として、動作シーケンスを時系列で表したシーケンス図である。
【００５１】
まず、上記の実施形態の場合と同様にして、携帯電話１０jの利用者が、お年玉年賀はがきＰＳＣＤを差出人から受け取るたびに、携帯携帯電話１０jにより、お年玉年賀はがきＰＳＣＤにおけるＱＲコードＱＲＣＤの読み取りを行う。そして、ＱＲコードＱＲＣＤに記載されていた情報のうち、抽選番号及びサーバ装置５０のネットワークアドレスが、抽選番号通知部３６へ通知される。なお、上記の実施形態の場合と同様に、サーバ装置５０のネットワークアドレスの抽選番号通知部３６への通知は、１回のみ行われるようになっている。
【００５２】
サーバ装置５０のネットワークアドレスが通知された抽選番号通知部３６では、抽選番号を、基地局４２j及びネットワークを介して、サーバ装置５０に対して通知する。こうして抽選番号を通知されたサーバ装置５０では、受付処理部５８が抽選番号を受信して受付処理をし、受付報告を携帯携帯電話１０jへ返送するとともに、抽選番号及び当該抽選番号を通知した携帯電話１０jのネットワークアドレスを記憶装置５３に格納する。受付報告を受けた携帯携帯電話１０jでは受信データ処理部３７において受付報告を処理し、表示部１３に表示する。
【００５３】
一方、サーバ装置５０の番号照合部５７は、タイマ部５９からの現在の年月日及び時刻情報に基づいて、現時点において当選発表日時を経過しているか否か、すなわち当選番号が既にサーバ装置５０において発表されているか否かが判定される。この判定の結果が否定的であった場合には、記憶装置５３の内容を保持し、抽選番号の通知に備える。一方、この判定の結果として肯定的な判定がされると、番号照合部５７は、記憶装置５３から当選番号、並びに携帯電話１０jのネットワークアドレスをキーとして携帯電話１０jのが通知した抽選番号を読み出し、当選番号と抽選番号との照合を行う。そして、番号照合部５７は、当選番号と一致した抽選番号の当選種類、賞品の情報を記憶装置５３から読み出し、当選番号及び当該抽選番号を通知した携帯電話１０jのネットワークアドレスとともに照合結果通知部５６へ通知する。なお、当選番号と一致する抽選番号がなかった場合には、番号照合部５７は、その旨及び携帯電話１０jのネットワークアドレスを照合結果通知部５６へ通知する。引き続き、照合結果通知部５６は、通知された携帯電話１０jのネットワークアドレスを利用して、携帯電話１０jに関する照合結果を、送受信装置５４、ネットワーク４１及び基地局４２jを介して、携帯電話１０jへ通知する。
【００５４】
こうして、照合結果が携帯電話１０jに通知されると、その照合結果が、受信データ処理部３７で処理されて表示部１３に表示され、利用者に提供される。
【００５５】
また、上記の初回の抽選番号と当選番号との照合が行われた後に、新たにお年玉年賀はがきＰＳＣＤにおけるＱＲコードＱＲＣＤから読み取られて抽選番号が記憶部２３に格納され、読取解読部３１から抽選番号通知部３６に対して、抽選番号が新たに読み取られた旨が通知されると、抽選番号通知部３６は、直ちにサーバ装置５０に対して、未照合の抽選番号をパラメータとする照合要求を行う。この照合要求を受けたサーバ装置５０では、上述の場合と同様にして番号照合を行い、照合結果を携帯電話１０jへ返送する。こうして、新たな照合結果が携帯電話１０jに通知されると、その新たな照合結果が、表示部１３に表示されて、利用者に提供される。
【００５６】
以上の図７〜図９を参照して説明した変形例では、携帯電話１０jの抽選番号通知部３６が、読み取られた抽選番号をサーバ装置５０に通知する。そして、サーバ装置５０の番号照合部５７が、通知された抽選番号と当選番号とを照合し、サーバ装置５０による照合結果通知部５６が、照合結果を携帯電話１０jへ通知する。したがって、上記の実施形態と同様に、利用者にとって簡易な操作で確実に、お年玉年賀はがきに付与された抽選番号と当選番号との照合結果をえることができ、利用者の利便性を向上することができる。
【００５７】
また、携帯電話１０j（ｊ＝１〜Ｎ）には抽選番号と当選番号との照合機能を搭載せず、サーバ装置５０に抽選番号と当選番号との照合機能を搭載する構成としたので、携帯電話１０j（ｊ＝１〜Ｎ）の構成を簡素化することができる。また、携帯電話１０j（ｊ＝１〜Ｎ）を、読み取られたイベント検索識別子を保存するための記憶部を省略した構成としているので、携帯電話１０j（ｊ＝１〜Ｎ）の構成を簡素化することができる。
なお、図７〜図９を参照して説明した変形例では、携帯電話１０j（ｊ＝１〜Ｎ）を、読み取られたイベント検索識別子を保存するための記憶部を省略した構成とした。これに対し、上記の実施形態の場合と同様に、読み取られたイベント検索識別子を保存するための記憶部を備える構成とすることができる。この場合には、抽選番号をサーバ装置５０に通知した後においても、当該記憶部から抽選番号を読み出して表示部１３に表示することができる。
【００５８】
また、サーバ装置５０が、当選番号発表日時が経過したことを判断し、抽選番号と当選番号との照合を自動的に実行するので、上記の実施形態と同様に、利用者の利便性を更に向上することができる。
【００５９】
また、上記の実施形態及び図７〜図９を参照して説明した変形例では、予め付与された抽選番号の全ての中から当選番号を抽出するお年玉年賀はがきについて説明した。これに対して、抽選対象の種類によっては、携帯電話１０j（ｊ＝１〜Ｎ）それぞれが読み取った複数の抽選番号をサーバ装置５０へ予め通知しておき、通知された複数の抽選番号の中から、サーバ装置５０が抽選により当選番号を決めるようにしてもよい。この場合には、本当に興味を有している申込者のみを対象として、当選確率の高い方法で抽選をする方法を実現することができる。
【００６０】
また、上記の実施形態では、お年玉年賀はがきについて説明したが、本発明は、宝くじ抽選結果の取得、入学試験の結果取得、オーディション結果の取得等といった様々なイベント情報取得に適用することができる。
【００６１】
また、上記の実施形態では、お年玉年賀はがきの抽選番号という付与されたイベント検索用識別子に応じて、当選又は落選という１回限り発生するイベントについて説明した。これに対して、例えば、第１次オーディションの合否、第２次オーディションの合否などといった付与されたイベント検索用識別子に応じて、関連する複数回のイベントが発生する場合にも本発明を適用することができる。
【００６２】
また、上記の実施形態では、本発明を携帯電話に適用したが、携帯電話以外の通信端末装置に本発明を適用することができるのは勿論である。
【産業上の利用可能性】
【００６３】
以上のように、本発明は、文字及び２次元コードで証票に併記されているイベント検索識別子をキーとして、イベント検索識別子に関連するイベント情報を取得する際に有用である。
【図面の簡単な説明】
【００６４】
【図１】本発明の一実施形態に係るイベント情報取得システムの構成を模式的に図面である。
【図２】図１のシステムでイベント情報取得の対象となるお年玉年賀はがきを説明するための図である。
【図３】図１の携帯電話の外観構成を概略的に示す図である。
【図４】図１の携帯電話の機能ブロック図である。
【図５】図１のサーバ装置の機能ブロック図である。
【図６】図１のシステムにおけるイベント情報取得の動作を説明するためのシーケンス図である。
【図７】変形例のシステムにおける携帯電話の機能ブロック図である。
【図８】変形例のシステムにおけるサーバ装置の機能ブロック図である。
【図９】変形例のシステムにおけるイベント情報取得の動作を説明するためのシーケンス図である。
【符号の説明】
【００６５】
１０…携帯電話（通信端末装置、移動通信端末装置）、１１…携帯電話本体、１２…操作部、１３…表示部、１４…通話用スピーカ、１５…マイクロフォン、１６…案内用スピーカ、１７…アンテナ（無線通信手段の一部）、１８…撮像部、２１，２１’…制御部、２２…無線送受信部、２３…記憶部、３１…読取解読部、３２…ダウンロード部、３３…イベント抽出部、３５…タイマ部、３６…抽選番号通知部、３７…受信データ処理部、４１…ネットワーク、４２…基地局、５０…サーバ装置、５１，５１’…制御処理装置、５３…記憶装置、５４…送受信装置、５６…照合結果通知部、５７…番号照合部、５８…受付処理部、５９…タイマ部。
【図１】
2005115444.tif 000003
【図２】
2005115444.tif 000004
【図３】
2005115444.tif 000005
【図４】
2005115444.tif 000006
【図５】
2005115444.tif 000007
【図６】
2005115444.tif 000008
【図７】
2005115444.tif 000009
【図８】
2005115444.tif 000010
【図９】
2005115444.tif 000011